(57)【要約】【課題】複数の薬剤などの中から単数または複数の薬剤などを選択して所定場所に散布でき、薬剤変更後に薬剤の混合が生じない薬剤散布設備を提供する。【解決手段】複数の薬剤タンク１〜５および水タンク６に収容された薬剤などの中から一つまたは複数の薬剤などを選択して薬剤送給路１５を経由して送給する薬剤送給装置２０と、薬剤送給路１５を経由して送給される薬剤などを噴霧する複数の噴霧器９〜１４とで構成されている。薬剤送給装置２０は、薬剤タンク１〜５または水タンク６内の薬剤１ｃ〜５ｃまたは水６ｃを薬剤吸引路１ｄ〜５ｄまたは水吸引路６ｄを経由して吸引するポンプ８と、混合器７と、薬剤送給路１５と、開閉弁１ａ〜６ａとを備え、ポンプ８および混合器７の作動・停止と、開閉弁１ａ〜６ａの開閉動作と、噴霧器９〜１４の作動・停止を制御するための制御手段２１を制御盤２２内に設けている。【選択図】　　　　図１
2004113988.tif 000002
【特許請求の範囲】
【請求項１】
複数の薬剤タンクと、前記薬剤タンク内の薬剤を前記薬剤タンクごとに設けられた薬剤吸引路を経由して吸引するポンプと、前記ポンプで吸引した薬剤を他の場所へ送給するための薬剤送給路と、それぞれの前記薬剤吸引路に配置された開閉弁と、前記ポンプの作動・停止および前記開閉弁の開閉動作を制御する制御手段とを備えたことを特徴とする薬剤送給装置。
【請求項２】
前記薬剤吸引路または前記薬剤送給路を移動する薬剤を混合するための混合器を設け、前記混合器の作動・停止を制御する機能を前記制御手段に設けた請求項１記載の薬剤送給装置。
【請求項３】
前記薬剤送給路を複数設けた請求項１または２記載の薬剤送給装置。
【請求項４】
複数の薬剤タンク内の薬剤を前記薬剤タンクごとに設けられた薬剤吸引路を経由して吸引するポンプと、前記ポンプで吸引した薬剤を他の場所へ送給するための薬剤送給路と、それぞれの前記薬剤吸引路に配置された開閉弁と、前記ポンプの作動・停止および前記開閉弁の開閉動作を制御する制御手段とを有する薬剤送給装置と、
前記薬剤送給路を経由して送給される薬剤を噴霧する噴霧器とを備え、
前記噴霧器の作動・停止を制御する機能を前記制御手段に設けたことを特徴とする薬剤散布設備。
【請求項５】
前記噴霧器の近傍に、前記噴霧器からの噴霧動作を停止するための非常停止手段を設けた請求項４記載の薬剤散布設備。
【発明の詳細な説明】
【０００１】
【発明の属する技術分野】
本発明は、複数種類の薬剤などの中から１種類または複数種類の薬剤を選択して所定場所に送給または散布する技術に関する。
【０００２】
【従来の技術】
病院、食品工場あるいは畜舎などには、殺菌剤、殺虫剤、消臭剤などの各種薬剤を霧状に散布するための薬剤噴霧設備が設置されている。これらの薬剤噴霧設備は、薬剤タンク、液送ポンプおよび噴霧器などで構成され、薬剤タンクに貯留されている薬剤を液送ポンプで吸い上げて噴霧器へ送給し、噴霧器から空気中へ噴霧する機能を備えている。
【０００３】
従来の薬剤噴霧設備においては、１個の薬剤タンク内に収容されている１種類の薬剤を１個の液送ポンプで１個または複数個の噴霧器に送給して噴霧するようになっている。これは、「化学物質の審査及び製造等の規制に関する法律」（以下「化審法」という。）の規定により、薬剤の種類によっては他の薬剤と混合して散布することが禁じられているものがあるからである。
【０００４】
一方、薬剤、芳香剤あるいは塗料などの複数種類の薬剤の中から必要に応じて一つの薬剤を選択して噴霧することのできる技術として、空気清浄器（例えば、特許文献１参照。）、芳香装置（例えば、特許文献２参照。）、自動販売機における害虫防止装置（例えば、特許文献３参照。）、色替え塗装方法（例えば、特許文献４参照。）などがある。
【０００５】
【特許文献１】
実開平５−５１３４７号公報（第２−３頁）
【特許文献２】
特開平６−７７１４号公報（第２−３頁）
【特許文献３】
特開平１１−５６２０７号公報（第２−４頁）
【特許文献４】
特開２００２−２１４０５号公報（第２−４頁）
【０００６】
【発明が解決しようとする課題】
前述したように、化審法の規定によれば、薬剤の種類によっては他の薬剤と混合して散布することが禁じられているものがあるため、病院や食品工場などにおいて種類の異なる薬剤を散布しなければならない場合、これらの薬剤を混合して従来の薬剤散布設備を用いて散布することができないことがある。そこで、薬剤の種類に対応した台数の独立した薬剤散布設備を設け、それぞれの薬剤散布設備を用いて薬剤を１種類ずつ散布している。したがって、複数の薬剤散布設備を設置するために広いスペースを必要とし、これらのスペースは薬剤の種類が増加するにつれて拡大せざるを得ないので、他のスペースを圧迫することとなる。
【０００７】
また、薬剤散布設備の設置台数が増加すると、配線や配管が複雑となり、取り扱いやメンテナンスが煩雑となり、待機電力の消費量も増加するので電気エネルギの無駄が生じる。
【０００８】
さらに、従来の薬剤散布設備を１台だけ用いて複数の薬剤を散布しようとすれば、１種類ずつ順番に薬剤を散布しなければならず、薬剤を変更するたびに、薬剤タンク、液送ポンプ、噴霧器および薬剤送給路に残存している変更前の薬剤を完全に除去する必要があり、その都度、入念な洗浄を行なわなければならないので、洗浄作業が煩雑である。
【０００９】
一方、特許文献１に記載されている空気清浄器の場合、複数種類の芳香剤の中から選択した一つの芳香剤を放出させることができるのであるが、芳香剤を切り替えた直後、切り替え前の芳香剤の残香が切り替え後の芳香剤の香りと混じり合うおそれがあり、芳香剤の効果が失われることがある。
【００１０】
特許文献２に記載されている芳香装置の場合、切り替え前の芳香剤の残香が切り替え後の芳香剤の香りと混じり合うことはないが、薬剤（液体香料）の混合を防止する手段として、複数の香料容器の間を移動するポンプを設け、移動中のポンプを空運転させることによって残留薬剤を霧化してしまう方式が採られているため、複雑なポンプ移動機構を設ける必要があるだけでなく、ポンプ移動のためのスペースも確保しなければならず、装置が大型化しがちである。
【００１１】
特許文献３に記載されている害虫防止装置の場合、薬剤を切り替えたとき、ホースやノズルなどに切り替え前の薬剤が残留する可能性が高いので、切り替え前の薬剤に切り替え後の薬剤が混合され、化学変化が生じて、薬剤の効能が低下したり、有害物質が形成されたりするおそれがある。
【００１２】
特許文献４に記載されている色替え塗装方法の場合、塗装機内などに残存する塗料をエア、溶剤で押出し、洗浄するので、色替えした後に塗料が混じり合うことはないが、複数の塗料を混合して噴霧することはできない。
【００１３】
本発明が解決しようとする課題は、複数の薬剤などの中から単数または複数の薬剤などを選択して所定場所に送給または散布することができ、送給または散布する薬剤を変更した場合に変更前後の薬剤が混合することのない薬剤送給装置およびこれを用いた薬剤散布設備を提供することにある。
【００１４】
【課題を解決するための手段】
本発明の薬剤送給装置は、複数の薬剤タンクと、これらの薬剤タンク内の薬剤を薬剤タンクごとに設けられた薬剤吸引路を経由して吸引するポンプと、ポンプで吸引した薬剤を他の場所へ送給するための薬剤送給路と、それぞれの薬剤吸引路に配置された開閉弁と、ポンプの作動・停止および開閉弁の開閉動作を制御する制御手段とを備えたことを特徴とする。
【００１５】
制御手段からの信号によりポンプを作動させるとともに複数の開閉弁のうちの１つまたは複数を開放すれば各開閉弁に対応した薬剤吸引路に係る薬剤タンク内の薬剤が薬剤吸引路を経由して吸引されるため、選択した一つまたは複数の薬剤を薬剤送給路を経由して他の場所へ送給することができ、制御手段からの信号によりポンプを停止して開閉弁を閉止すれば薬剤の送給を停止することができる。
【００１６】
また、薬剤タンクの一つに他の薬剤と反応しない水などを収容しておき、送給する薬剤を変更する場合、制御手段からの信号により、変更後の薬剤を送給する前にポンプを所定時間作動させるとともに水などを収容した薬剤タンクに対応する薬剤吸引路の開閉弁のみを所定時間開放すれば、水などが薬剤吸引路、ポンプおよび薬剤送給路を経由して送給され、これらの部分に残留している変更前の薬剤が除去されるため、変更前後の薬剤が混合することがない。
【００１７】
ポンプの作動・停止および開閉弁の開閉動作は制御手段からの信号によって制御されるため、予め制御手段にポンプの作動・停止時期、開閉弁の開閉動作を入力しておけば、複数の薬剤タンクに収容された薬剤の中から１つまたは複数を選択して自動的に送給、停止することが可能であり、変更前後の薬剤混合も生じない。
【００１８】
一方、薬剤の種類によっては他の薬剤と混合して送給しても支障のないものがあり、場合によっては複数種類の薬剤を混合して送給する必要が生じることもある。そこで、前記薬剤吸引路または前記薬剤送給路を移動する薬剤を混合するための混合器を設け、混合器の作動・停止を制御する機能を前記制御手段に設けることが望ましい。複数の開閉弁を開放して複数の薬剤タンクから薬剤を吸引すれば、複数種類の薬剤を混合して送給することが可能であり、このような場合に前記制御手段からの信号で前記混合器を作動させれば、前記薬剤吸引路または前記薬剤送給路を移動する薬剤を十分に混合することが可能となるため、複数の薬剤を均一に混合した状態で送給することができる。
【００１９】
また、前記薬剤送給路を複数設ければ、複数の薬剤の中から選択した一つまたは複数の薬剤を複数の場所へ送給することが可能となるため、薬剤の送給を一元的に管理することができる。
【００２０】
次に、本発明の薬剤散布設備は、前述した薬剤送給装置と、前記薬剤送給路を経由して送給される薬剤を噴霧する噴霧器とを備え、前記噴霧器の作動・停止を制御する機能を前記薬剤送給装置の制御手段に設けたことを特徴とする。このような構成とすることにより、複数の薬剤の中から単数または複数の薬剤を選択して所定場所に散布することができ、散布する薬剤を変更した場合に変更前後の薬剤が混合することもない。
【００２１】
また、前記噴霧器の近傍に、前記噴霧器からの薬剤散布を停止するための非常停止手段を設ければ、制御手段から離れた場所にある噴霧器あるいはその周囲において薬剤の散布を継続すべきでない事態が生じたような場合、非常停止手段で散布動作を停止することができるので、事態の悪化を回避することができ、便利である。
【００２２】
【発明の実施の形態】
図１は本発明の実施の形態である薬剤散布設備を示す概略構成図であり、図２は図１に示す薬剤散布設備を建築物内に配備した状態を示す図であり、図３〜図５は図１に示す薬剤散布設備の動作状態を示すタイミングチャートである。
【００２３】
図１に示すように、本実施形態の薬剤散布設備は、複数の薬剤タンク１〜５および水タンク６に収容された薬剤または水の中から一つまたは複数の薬剤または水を選択して薬剤送給路１５を経由して送給する機能を備えた薬剤送給装置２０と、薬剤送給路１５を経由して送給される薬剤を噴霧する複数の噴霧器９〜１４とを備えている。
【００２４】
薬剤送給装置２０は、５個の薬剤タンク１〜５および１個の水タンク６と、これらの薬剤タンク１〜５および水タンク６内の薬剤１ｃ〜５ｃまたは水６ｃを薬剤タンク１〜５および水タンク６ごとに設けられた薬剤吸引路１ｄ〜５ｄおよび水吸引路６ｄを経由して吸引するポンプ８と、ポンプ８で吸引した薬剤または水を必要に応じて混合するための混合器７と、ポンプ８で吸引した薬剤または水を噴霧器９〜１４へ送給するための薬剤送給路１５と、各薬剤吸引路１ｄ〜５ｄおよび水吸引路６ｄにそれぞれ配置された開閉弁１ａ〜６ａとを備えている。
【００２５】
また、ポンプ８および混合器７の作動・停止と、開閉弁１ａ〜６ａの開閉動作と、噴霧器９〜１４の作動・停止を制御するための制御手段２１を制御盤２２内に備えている。制御手段２１は、開閉弁１ａ〜６ａの開閉動作および噴霧器９〜１４の作動・停止を制御するタイマリレー１ｂ〜６ｂと、ポンプ８の作動・停止を制御するタイマリレー８ｂと、混合器７の作動・停止を制御するタイマリレー７ｂなどを備えている。
【００２６】
薬剤供給装置２０を稼動させるための電力はＡＣ１００Ｖ電源２３から供給され、噴霧器９〜１４を稼動させるための電力はそれぞれＡＣ１００Ｖ電源２４ａ〜２４ｂから供給される。また、噴霧器９〜１４を停止するための非常停止ボタン９ａ〜１４ａがそれぞれの噴霧器９〜１４ごとに設けられている。
【００２７】
制御手段２１からの信号によりポンプ８および噴霧器９〜１４を作動させるとともに６個の開閉弁１ａ〜６ａのうちの１つまたは複数を開放すれば各開閉弁１ａ〜６ａに対応した薬剤吸引路１ｄ〜５ｄまたは水吸引路６ｄに係る薬剤タンク１〜５または水タンク６内の薬剤１ｃ〜５ｃまたは水６ｃが薬剤吸引路１ｄ〜５ｄまたは水吸引路６ｄを経由して吸引されるため、選択した一つまたは複数の薬剤または水を薬剤送給路１５を経由して噴霧器９〜１４へ送給し、噴霧器９〜１４から霧状にして空中などへ散布することができる。
【００２８】
開閉弁１ａ〜６ａのうちの複数が開放されたとき、薬剤１ｃ〜５ｃまたは水６ｃのうちの２種類以上がポンプ８によって吸い込まれるが、この場合、混合器７を作動させることにより、２種類以上の薬剤または水を均一に混合した状態で噴霧器９〜１４へ送給して散布することができる。
【００２９】
制御手段２１内のタイマリレー１ｂ〜８ｂなどに設定されていた時間が経過すると、制御手段２１からの信号によりポンプ８および混合器７が停止するとともに開放されていた開閉弁１ａ〜６ａが閉止して薬剤の送給が停止され、この後、制御手段２１からの信号により噴霧器９〜１４が停止され、薬剤の散布が停止される。
【００３０】
また、本実施形態のように、薬剤タンク６に水６ｃを収容しておき、送給する薬剤を変更する場合、制御手段２１からの信号により、変更後の薬剤を送給する前にポンプ８および噴霧器９〜１４を所定時間作動させるとともに水６ｃを収容した薬剤タンク６に対応する水吸引路６ｄの開閉弁６ａのみを所定時間開放すれば、水６ｃが水吸引路６ｃ、ポンプ８、混合器７および薬剤送給路１５を経由して噴霧器９〜１４へ送給され、これらの噴霧器９〜１４から散布されるため、これらの部分に残留している変更前の薬剤が水によって除去されることとなり、変更前後の薬剤が混合することがない。
【００３１】
ポンプ８および混合器７の作動・停止、開閉弁１ａ〜６ａの開閉動作、噴霧器９〜１４の作動・停止は、制御手段２１内のタイマリレー１ｂ〜８ｂから発信されるオンオフ信号によって制御されるので、ポンプ８および混合器７の作動・停止時期、開閉弁１ａ〜６ａの開閉時期、噴霧器９〜１４の作動・停止時期を制御手段２１内のタイマリレー１ｂ〜８ｂに予め入力しておけば、複数の薬剤タンク１〜５または水タンク６に収容された薬剤１ｃ〜５ｃまたは水６ｃの中から１つまたは複数を選択して自動的に送給、噴霧および停止することが可能であり、変更前後の薬剤混合も生じない。
【００３２】
また、ポンプ８で吸引した薬剤または水を送給する薬剤送給路１５は噴霧器９〜１４ごとに６系統設けることにより、複数の薬剤または水の中から選択した一つまたは複数の薬剤または水を６個の噴霧器９〜１４へ送給することができるようにしているため、６台の噴霧器９〜１４による薬剤の噴霧、停止などを１台の薬剤送給装置２０において一元的に管理することができる。
【００３３】
また、それぞれの噴霧器９〜１４の設置場所近傍に非常停止ボタン９ａ〜１４ａを設けているため、制御盤２２から離れた場所にあるこれらの噴霧器９〜１４の周囲において薬剤の散布を継続すべきでない事態が生じたような場合、近くにある非常停止ボタン９ａ〜１４ａを操作すれば噴霧器が停止して散布動作を停止することができるので、便利である。
【００３４】
なお、薬剤送給装置２０はＡＣ１００Ｖ電源２３からの給電によって作動し、各噴霧器９〜１４はそれぞれの設置場所にあるＡＣ１００Ｖ電源２４からの給電によって作動するようになっているため、電源配線を簡略化することができ、一つのＡＣ１００Ｖ電源への過度の電力集中を回避することができる。図１に示す薬剤供給装置２０においては６個の薬剤タンク１〜５と水タンク６、および６個の噴霧器９〜１４を設けているが、薬剤タンクおよび水タンクの合計個数と噴霧器の個数を同数にする必要はなく、使用する薬剤の種類などに応じて薬剤タンクの個数やタンク容量を増減したり、薬剤などを噴霧すべき場所の数に応じて噴霧器の個数を増減することが可能である。
【００３５】
次に図２〜図５を参照して、図１に示した薬剤散布設備を建築物内に配備した場合について説明する。図２に示すように、複数の部屋２５，２６から区画された部屋２７内に、薬剤送給装置２０を構成する制御盤２１および薬剤タンク１〜５および水タンク６などが配置され、薬剤送給装置２０から送給される薬剤などを他の部屋２５，２６などへ散布するための噴霧器９，１０が各部屋ごとに配置され、噴霧器９，１０近傍の壁面には非常停止ボタン９ａ，１０ａが設置されている。
【００３６】
薬剤送給装置２０を作動させる電力は部屋２７内のＡＣ１００Ｖ電源２３から供給され、各噴霧器９，１０などを作動させる電力はＡＣ１００Ｖ電源２４ａ，２４ｂから供給される。
【００３７】
まず、図３を参照して、５個の薬剤タンク１〜５内の薬剤１ｃ〜５ｃ中から異なる薬剤１ｃおよび２ｃを順番に選択して時間を隔てて部屋２５，２６などに散布する場合の動作について説明する。制御手段２１に予め設定された時期が来ると制御手段２１からの信号により開閉弁１ａが開放するとともにポンプ８および噴霧器９〜１４が作動し、薬剤１ｃが各噴霧器９〜１４から各部屋２５，２６などへ一定時間散布される。予め設定された一定時間が経過すると制御手段２１からの信号でポンプ８が停止され薬剤１ｃの供給は停止されるが、噴霧器９〜１４はこの後も所定時間作動し続けた後、停止するので、ポンプ８以降の経路および噴霧器９〜１４に残留している薬剤１ｃは残らず散布される。
【００３８】
噴霧器９〜１４が停止した後、所定時間経過すると制御手段２１からの信号で開閉弁６ａが開放するとともにポンプ８および噴霧器９〜１４が作動し、水タンク６内の水６ｃが各噴霧器９〜１４から散布される。これによってポンプ８以降の経路および噴霧器９〜１４は全て水６ｃで洗浄されることとなる。一定時間が経過するとポンプ８が停止され水６ｃの供給は停止されるが、噴霧器９〜１４はこの後も所定時間作動し続けた後、停止するので、ポンプ８から噴霧器９〜１４に残留している水６ｃは残らず散布され、空の状態となる。
【００３９】
この後、予め設定していた時期が来ると、制御手段２１からの信号により開閉弁２ａが開放するとともにポンプ８および噴霧器９〜１４が作動し、前述と異なる種類の薬剤２ｃが各噴霧器９〜１４から各部屋２５，２６などへ一定時間散布される。この後は、前述と同様の過程を経て水６ｃによる洗浄までが自動的に行なわれる。同様の過程をとることにより、３種類以上の薬剤を時間を隔てて順番に散布することができる。
【００４０】
このように、異なる複数の薬剤を時間を隔てて順番に散布する場合は、一つの薬剤の散布が完了するごとに水６ｃによる洗浄が行なわれるので、薬剤の変更の際に薬剤の混合が生じることがない。また、薬剤１ｃ〜５ｃや水６ｃの送給が停止した後も所定時間噴霧器９〜１４を作動させることにより、ポンプ８から噴霧器９〜１４までの薬剤経路は空の状態となるため、次の薬剤１ｃ〜５ｃや水６ｃの送給、散布を速やかに開始することができる。
【００４１】
次に図４を参照して、異なる２種類の薬剤を混合した状態で時間を隔てて順番に散布する場合について説明する。制御手段２１に予め設定された時期が来ると制御手段２１からの信号により開閉弁１ａ，４ａが開放するとともに混合器７、ポンプ８および噴霧器９〜１４が作動し、薬剤１ｃ，４ｃが混合器７で均一混合された混合薬剤が各噴霧器９〜１４から各部屋２５，２６などへ一定時間散布され、この後は前述と同様の過程で水６ｃによる洗浄までが行なわれる。
【００４２】
水６ｃによる洗浄が終わった後、制御手段２１に予め設定された時期が来ると制御手段２１からの信号により開閉弁２ａ，５ａが開放するとともに混合器７、ポンプ８および噴霧器９〜１４が作動し、薬剤２ｃ，５ｃが混合器７で均一混合された混合薬剤が各噴霧器９〜１４から各部屋２５，２６などへ一定時間散布され、この後は前述と同様の過程で水６ｃによる洗浄までが行なわれる。
【００４３】
このように、薬剤１ｃ〜５ｃのうちから２種類ずつ選択した薬剤を混合して得られる異なる混合薬剤を時間を隔てて散布することが可能であり、この場合にも混合薬剤同士が混合することがない。また、必要に応じて制御手段の設定条件を変更すれば３種類以上の薬剤を混合した状態で散布することも可能である。
【００４４】
次に図５を参照して、薬剤１ｃ〜５ｃから選択した薬剤を時間を隔てて順番に水６ｃと混合した状態で散布する場合について説明する。制御手段２１に予め設定された時期が来ると制御手段２１からの信号により開閉弁１ａ，６ａが開放するとともに混合器７、ポンプ８および噴霧器９〜１４が作動し、薬剤１ｃと水６ｃとが混合器７で均一混合された水希釈薬剤が各噴霧器９〜１４から各部屋２５，２６などへ一定時間散布され、この後は前述と同様の過程で水６ｃによる洗浄までが行なわれる。
【００４５】
水６ｃによる洗浄が終わった後、制御手段２１に予め設定された時期が来ると制御手段２１からの信号により開閉弁２ａ，６ａが開放するとともに混合器７、ポンプ８および噴霧器９〜１４が作動し、薬剤２ｃと水６ｃとが混合器７で均一混合された水希釈薬剤が各噴霧器９〜１４から各部屋２５，２６などへ一定時間散布され、この後は前述と同様の過程で水６ｃによる洗浄までが行なわれる。
【００４６】
このように、薬剤１ｃ〜５ｃのうちから選択した薬剤を水６ｃと混合して得られる互いに異なる水希釈薬剤を時間を隔てて散布することが可能であり、この場合にも水希釈薬剤同士が混合することがない。また、必要に応じて制御手段の設定条件を変更すれば２種類以上の薬剤と水６ｃとを混合した状態で散布することも可能である。
【００４７】
なお、薬剤の種類によっては、空気中に散布する際、目的に合った噴霧粒子径とする必要が生じることがあるが、このような場合は、薬剤タンク１〜５および水タンク６からの薬剤吸引路１ｄ〜５ｄおよび水吸引路６ｄに流量調節弁（図示せず）を配置して噴霧器９〜１４への流量を増減させることによって噴霧器９〜１４から散布される噴霧粒子径を変化させることができる。
【００４８】
また、本実施形態の薬剤散布設備においては、噴霧器９〜１４が配置された部屋２５，２６などから隔離された部屋２７に薬剤送給装置２１を配置することができるため、部屋２５，２６が病院の病室などである場合、薬剤送給装置２１のある部屋２７からの感染を防止することができる。
【００４９】
さらに、この薬剤散布設備は、電話回線を介しての遠隔操作ができるようにすることもでき、これによって、離れた場所から手動運転（強制運転）、作動状況の確認、薬剤の残量確認などを行なうことができるシステムを構築することも可能である。また、予め設定した条件と異なる作動状況が発生したとき、薬剤送給装置２０の近傍や管理センターなどの離れた場所へ警告を発する機能を付加することもできる。
【００５０】
本実施形態においては、６台の噴霧器９〜１４を同時に作動させて噴霧する場合について説明しているが、制御手段２１の設定条件を変更すれば、噴霧器９〜１４のうちの１〜５台の噴霧器を選択的に作動させて噴霧したり、噴霧器９〜１４を時間を隔てて１台ずつ順番に作動させて噴霧したりすることも可能である。また、洗浄の際に使用する水は水タンク６に収容している水６ｃであって、特に限定するものではないが、水６ｃとしてオゾン水を使用すれば、洗浄効果が向上するだけでなく、臭気等の除去効果も増大する。また、薬剤の送給経路に万一、薬剤が残留することがあっても、オゾン水によって薬剤が分解されるので、薬剤混合をより確実に回避することができる。
【００５１】
【発明の効果】
本発明により、以下の効果を奏する。
【００５２】
（１）複数の薬剤タンクと、これらの薬剤タンク内の薬剤を薬剤タンクごとに設けられた薬剤吸引路を経由して吸引するポンプと、ポンプで吸引した薬剤を他の場所へ送給するための薬剤送給路と、それぞれの薬剤吸引路に配置された開閉弁と、ポンプの作動・停止および開閉弁の開閉動作を制御する制御手段とを備えたことにより、複数の薬剤の中から単数または複数の薬剤を選択して所定場所に送給することが可能となり、送給する薬剤を変更した場合に変更前後の薬剤が混合することもない。
【００５３】
（２）前記薬剤吸引路または前記薬剤送給路を移動する薬剤を混合するための混合器を設け、混合器の作動・停止を制御する機能を前記制御手段に設けることにより、複数の開閉弁を開放して複数の薬剤タンクから薬剤を吸引しているとき、これらの薬剤を均一に混合した状態で送給することができる。
【００５４】
（３）前記薬剤送給路を複数設けることにより、複数の薬剤の中から選択した一つまたは複数の薬剤を複数の場所へ送給することが可能となるため、薬剤の送給を一元的に管理することができる。
【００５５】
（４）前述した薬剤送給装置と、前記薬剤送給路を経由して送給される薬剤を噴霧する噴霧器とを備え、前記噴霧器の作動・停止を制御する機能を前記薬剤送給装置の制御手段に設けたことにより、複数の薬剤の中から単数または複数の薬剤を選択して所定場所に散布することができ、散布する薬剤を変更した場合に変更前後の薬剤が混合することもない。
【００５６】
（５）前記噴霧器の近傍に、前記噴霧器からの薬剤散布を停止するための非常停止手段を設ければ、薬剤の散布を継続すべきでない事態が生じた場合、非常停止手段で散布動作を停止することができるので、事態の悪化を回避することが可能となり、便利である。
【図面の簡単な説明】
【図１】本発明の実施の形態である薬剤散布設備の構成を示す図である。
【図２】図１に示す薬剤散布設備を建築物内に配備した状態を一部省略して示す図である。
【図３】図１に示す薬剤散布設備の動作状態を示すタイミングチャートである。
【図４】図１に示す薬剤散布設備の動作状態を示すタイミングチャートである。
【図５】図１に示す薬剤散布設備の動作状態を示すタイミングチャートである。
【符号の説明】
１〜５　薬剤タンク
１ａ〜６ａ　開閉弁
１ｂ〜８ｂ　タイマリレー
１ｃ〜５ｃ　薬剤
１ｄ〜５ｄ　薬剤吸引路
６　水タンク
６ｃ　水
６ｄ　水吸引路
７　混合器
８　ポンプ
９〜１４　噴霧器
９ａ〜１４ａ　非常停止ボタン
１５　薬剤送給路
２０　薬剤送給装置
２１　制御手段
２２　制御盤
２３，２４ａ〜２４ｆ　ＡＣ１００Ｖ電源
２５，２６，２７　部屋
【図１】
2004113988.tif 000003
【図２】
2004113988.tif 000004
【図３】
2004113988.tif 000005
【図４】
2004113988.tif 000006
【図５】
2004113988.tif 000007